(57)【要約】【課題】本発明は、加湿空気清浄機を容易に可動し、かつ加湿水の漏れを防止することを目的とするものである。【解決手段】可動可能な保持部１６は、使用されるときは本体ケース６の内部に一部収納されているが、加湿空気清浄機１を掃除したり、他の場所に移動する場合に、保持部１６を本体ケース６から引き出して、取っ手となるようにすることができ、加湿空気清浄機１を持ち上げることなく、車輪状の移動手段１５を使って床を移動することができる。この際に加湿容器１２の中に入っている加湿水１１は、加湿空気清浄機１を傾けるとこぼれてしまう可能性があるため、加湿容器１２に可動軸１７を備え、前記可動軸１７を中心に加湿容器１２が自在に稼動できるため、加湿容器１２に入っている加湿水１１はこぼれることがない。【選択図】図６
2012137233.tif 000002
【特許請求の範囲】
【請求項１】
吸気口と排気口を有する本体ケースと、この本体ケース内に設けた送風機と、この送風機の吸込側と前記本体ケースの吸気口の間に設けたフィルタと、前記本体ケース内の下方に設けた加湿器とを備え、前記加湿器は、加湿水が収納された加湿容器と、この加湿容器内の前記加湿水にその下端が浸漬された加湿体とを有し、前記送風機の吹出側から前記本体ケースの排気口の間に、この送風機の吹出側から前記加湿器を介して本体ケースの排気口を結ぶ排気経路を形成したものであり、前記加湿容器は可動軸を備え、前記可動軸を中心に自在に可動でき、かつ前記本体ケースの下部に移動手段を備えた加湿空気清浄機。
【請求項２】
本体ケースの上部に可動可能な保持部を備えた請求項１記載の加湿空気清浄機。
【発明の詳細な説明】
【技術分野】
【０００１】
本発明は、室内空気の加湿および、空気清浄を行う加湿空気清浄機に関するものである。
【背景技術】
【０００２】
従来、この種の加湿空気清浄機は、以下のような構成となっていた。
【０００３】
すなわち、吸気口と排気口を有する本体ケースと、この本体ケース内に設けた送風機と、この送風機の吸込側と前記本体ケースの吸気口の間に設けたフィルタと、前記本体ケース内の下方に設けた加湿器とを備え、前記加湿器は、加湿水が収納された加湿容器と、この加湿容器内の前記加湿水を散布する加湿体とを有し、前記送風機の吹出側から前記本体ケースの排気口の間に、この送風機の吹出側から前記加湿器を介して本体ケースの排気口を結ぶ排気経路を形成した構成となっていた。また本体ケース下部に移動可能なキャスタが備えられている（例えば特許文献１参照）。
【先行技術文献】
【特許文献】
【０００４】
【特許文献１】特表２００６−５０９５８３号公報
【発明の概要】
【発明が解決しようとする課題】
【０００５】
上記従来例における課題は、送風機、フィルタや加湿機など複数の機能を備えた機器が備えられているため重量が重く移動しづらいという課題があった。また、掃除など移動を行いたい場合に、加湿空気清浄機を前後に傾けると加湿水が加湿容器からこぼれるという課題があった。
【０００６】
したがって、可搬性を向上する対策が求められている。
【０００７】
そこで、本発明は、加湿空気清浄機を容易に可搬し、かつ加湿水の漏れを防止することを目的とするものである。
【課題を解決するための手段】
【０００８】
そして、この目的を達成するために、本発明は、吸気口と排気口を有する本体ケースと、この本体ケース内に設けた送風機と、この送風機の吸込側と前記本体ケースの吸気口の間に設けたフィルタと、前記本体ケース内の下方に設けた加湿器とを備え、前記加湿器は、加湿水が収納された加湿容器と、この加湿容器内の前記加湿水にその下端が浸漬された加湿体とを有し、前記送風機の吹出側から前記本体ケースの排気口の間に、この送風機の吹出側から前記加湿器を介して本体ケースの排気口を結ぶ排気経路を形成したものであり、前記加湿容器は可動軸を備え、前記可動軸を中心に自在に可動でき、かつ前記本体ケースの下部に移動手段を備えたものであり、これにより初期の目的を達成するものである。
【発明の効果】
【０００９】
以上のように本発明は、吸気口と排気口を有する本体ケースと、この本体ケース内に設けた送風機と、この送風機の吸込側と前記本体ケースの吸気口の間に設けたフィルタと、前記本体ケース内の下方に設けた加湿器とを備え、前記加湿器は、加湿水が収納された加湿容器と、この加湿容器内の前記加湿水にその下端が浸漬された加湿体とを有し、前記送風機の吹出側から前記本体ケースの排気口の間に、この送風機の吹出側から前記加湿器を介して本体ケースの排気口を結ぶ排気経路を形成したものであり、前記加湿容器は可動軸を備え、前記可動軸を中心に自在に可動でき、かつ前記本体ケースの下部に移動手段を備えたものであり、可搬性を向上することができる。
【００１０】
すなわち、本発明において、加湿空気清浄機を容易に可搬し、かつ加湿水の漏れを防止することができるものである。
【図面の簡単な説明】
【００１１】
【図１】本発明の一実施形態の加湿空気清浄機の使用状態を示した斜視図
【図２】同加湿空気清浄機の分解斜視図
【図３】同加湿空気清浄機の保持部を本体ケースに収納した斜視図
【図４】同加湿空気清浄機の保持部を本体ケースから引き出した斜視図
【図５】同加湿空気清浄機の加湿容器を示す斜視図
【図６】同加湿空気清浄機の加湿空気清浄運転時の簡略図
【図７】同加湿空気清浄機の移動時の簡略図
【発明を実施するための形態】
【００１２】
以下、本発明の一実施形態を、添付図面を用いて説明する。
【００１３】
図１において、１は加湿空気清浄機で、室内２の床３上に設置され、空気清浄運転と、加湿空気清浄運転を選択的に行うことができるようになっている。
【００１４】
本実施の形態では、加湿空気清浄運転時、すなわち加湿のための水を加湿空気清浄機内に貯留している状態について説明する。
【００１５】
加湿空気清浄機１は、図２に示すように、前面側の吸気口４と、上面側の排気口５を有する箱型の本体ケース６を有する。
【００１６】
また、本体ケース６内の上下方向の中央部分には送風機７が設けられ、この送風機７の吸込側と本体ケース６の吸気口４の間には、吸気口４側から送風機７に向けて集塵フィルタ８と、脱臭フィルタ９が設置されている。
【００１７】
一方、本体ケース６内の下方（送風機７の下方）には加湿器１０が設けられている。
【００１８】
この加湿器１０は、加湿水１１が収納された上面が開口した加湿容器１２と、この加湿容器１２内の加湿水１１内に、その下端が浸漬された薄板状の加湿体１３と、加湿容器１２内に水を補給するための給水タンク１４とを有する。
【００１９】
送風機７は、シロッコファンまたはターボファンにて構成されている。
【００２０】
ここで、図３に示すように、本体ケース６の下部に車輪状の移動手段１５を備え、本体ケース６の上部に可動可能な保持部１６を備えている。
【００２１】
ここで図５に示すように、加湿容器１２は、給水タンク１４と連結される外部容器１８と加湿水１１を直接収納する内部容器１９に分割されている。内部容器１９の外周端部２０の中央部には、可動軸１７が備えられ、可動軸１７は外部容器１８に摺動するように連結されている。また、加湿体１３は加湿容器１２に支持部材２１により支持されている。
【００２２】
上記構成において、可動可能な保持部１６は通常使用されるときは、図３に示すように本体ケース６の内部に一部収納されているが、加湿空気清浄機１を掃除したり、他の場所に移動する場合に、図４に示すように、保持部１６を本体ケース６から引き出して、取っ手となるようにすることができ、加湿空気清浄機１を持ち上げることなく、車輪状の移動手段１５を使って床を移動することができる。
【００２３】
次に加湿空清運転時と可搬時の加湿空気清浄機１の状態を加湿容器１２の状態を中心に説明する。
【００２４】
図６に示すように、加湿空気清浄機１を加湿空清運転する場合には、加湿水１１は加湿容器１２の中に入っており、室内を加湿するために使用される。加湿空気清浄機１は床に静置されているため加湿容器１２の中に入っている加湿水１１は、床面にこぼれることがない。
【００２５】
図７に示すように、加湿空気清浄機１を別に部屋に可搬したい場合は、本体ケース６から保持部１６を加湿空気清浄機１の上方に引き伸ばすことができ、使用者が立位のまま可搬することができる。このとき加湿空気清浄機１を傾けることになり、加湿空気清浄機１の床面設置側に備えられた移動手段１５によって、床を傷つけることなく、使用者が楽に異動することができる。
【００２６】
さらに、加湿空気清浄機１が傾くことにより、加湿容器１２の外部容器１８と加湿体１３も傾くが、加湿容器１２に備えられた内部容器１９は外部容器１８の内側で可動軸１７を中心に自在に可動できるため、内部容器１９の上端の開口は水平を維持し、内部容器１９と加湿水１１の位置関係は、図６の加湿空気清浄機１が床に静置された水平な場合と変わらず、加湿容器１２に入っている加湿水１１はこぼれることがない。
【００２７】
したがって、加湿空気清浄機として極めて有用なものとなる。
【産業上の利用可能性】
【００２８】
以上のごとく本発明においては、保持部を本体ケースから引き出して、取っ手とすることができ、加湿空気清浄機を持ち上げることなく、車輪状の移動手段を使って床を移動することができる。この際に加湿容器の中に入っている加湿水は、加湿空気清浄機を傾けるとこぼれてしまう可能性があるため、加湿容器に可動軸を備え、前記可動軸を中心に加湿容器が自在に稼動できるため、加湿容器に入っている加湿水はこぼれることがないものである。
【００２９】
したがって、加湿空気清浄機として極めて有用なものとなる。
【符号の説明】
【００３０】
１    加湿空気清浄機
２    室内
３    床
４    吸気口
５    排気口
６    本体ケース
７    送風機
８    集塵フィルタ
９    脱臭フィルタ
１０  加湿器
１１  加湿水
１２  加湿容器
１３  加湿体
１４  給水タンク
１５  移動手段
１６  保持部
１７  可動軸
１８  外部容器
１９  内部容器
２０  外周端部
２１  支持部材
【図１】
2012137233.tif 000003
【図２】
2012137233.tif 000004
【図３】
2012137233.tif 000005
【図４】
2012137233.tif 000006
【図５】
2012137233.tif 000007
【図６】
2012137233.tif 000008
【図７】
2012137233.tif 000009